(57)【要約】【課題】  製造コストの安価な接続判定機構を提供する。【解決手段】  本判定機構では、ケーブルＣＢのコネクタＣＮにおける一対のソケットを、互いに導通している判定ソケットとする。また、制御基板のピンコネクタＳに、判定ソケットに対応する一対の判定ピンＰａ・Ｐｂを備える。従って、判定ピンＰａ・Ｐｂの導通状態を判定することで、ケーブルＣＢが制御基板に接続されているか否かを判定できる。また、本判定機構では、コネクタＣＮ・ピンコネクタＳの端子のうち、情報や電力の送受信に使用してない２つの端子を判定ソケット，判定ピンＰａ・Ｐｂとして用いている。従って、本判定機構は、接続判定のために、従来のコネクタ端子とは形状の大きく異なる専用の端子を必要としなため、製造コストの安価な接続判定機構となっている。【選択図】  図４
2005243575.tif 000002
【特許請求の範囲】
【請求項１】
電子装置とユニットとの間を接続する接続部材の接続状態を判定する接続判定機構において、
上記の接続部材が、複数の接触端子を有する第１コネクタを備え、この第１コネクタを電子装置に設けられた第２コネクタに装着することで電子装置に接続されるように設計されており、
第１コネクタが、互いに導通している一対の導通端子を備えており、
第２コネクタが、第１コネクタを装着した状態で上記の導通端子に接触する一対の判定端子を備えており、
さらに、この判定端子の導通状態を判定することで、接続部材が電子装置に接続されているか否かを判定する制御部を備えていることを特徴とする接続判定機構。
【請求項２】
上記電子装置が、複数の接続部材を接続するために、複数の第２コネクタを備えており、
各第２コネクタの一方の判定端子に電源が接続されており、
さらに、各第２コネクタの他方の判定端子に接続された抵抗を並列に連結してなる抵抗群と、この抵抗群からの出力値を測定して出力する測定回路とを備えた接続判定回路を有しており、
上記制御部は、測定回路の出力値に基づいて、電子装置に接続されていない接続部材の有無を検出するように設計されていることを特徴とする請求項１に記載の接続判定機構。
【請求項３】
上記電子装置が、複数の接続部材を接続するために、複数の第２コネクタを備えており、
各第２コネクタ判定端子間に接続された抵抗を直列に連結してなる抵抗群と、この抵抗群からの出力値を測定して出力する測定回路とを備え、抵抗群の一方の端部に電源が供給されているとともに、他方の端部が接地されている接続判定回路を有しており、
上記制御部は、測定回路の出力値に基づいて、電子装置に接続されていない接続部材の有無を検出するように設計されていることを特徴とする請求項１に記載の接続判定機構。
【請求項４】
上記の電源が、定電圧電源であることを特徴とする請求項２あるいは３に記載の接続判定機構。
【請求項５】
上記の電源が、定電流電源であることを特徴とする請求項２あるいは３に記載の接続判定機構。
【請求項６】
上記抵抗群の複数の抵抗が互いに異なる抵抗値を有していることを特徴とする請求項２あるいは３に記載の接続判定機構。
【請求項７】
上記抵抗群の抵抗が、他の抵抗に対して２のべき乗となるように設計されていることを特徴とする請求項７に記載の接続判定機構。
【請求項８】
上記抵抗群の抵抗が、他の抵抗に対して１０のべき乗となるように設計されていることを特徴とする請求項７に記載の接続判定機構。
【請求項９】
上記抵抗群の抵抗が、他の抵抗に対して素数となるように設計されていることを特徴とする請求項７に記載の接続判定機構。
【請求項１０】
上記測定回路が、抵抗群からの出力電圧を差動増幅し、デジタル信号に変換して出力するようになっていることを特徴とする請求項２あるいは３に記載の接続判定機構。
【請求項１１】
上記接続部材が、上記の電源を、第１コネクタの接触端子を介してユニットに供給するように設計されていることを特徴とする請求項２あるいは３に記載の接続判定機構。
【請求項１２】
上記接続部材が、複数の接触端子を有する第３コネクタを備え、この第３コネクタをユニットに設けられた第４コネクタに装着することで電子装置に接続されるように設計されており、
上記第１コネクタの導通端子が、第３コネクタを第４コネクタに装着することで互いに導通するように設計されていることを特徴とする請求項１に記載の接続判定機構。
【請求項１３】
上記第１コネクタの接触端子が列状に並んで配されており、
上記した導通端子の一方が、接触端子列の端部に位置していることを特徴とする請求項１に記載の接続判定機構。
【請求項１４】
、
上記第１コネクタの接触端子が列状に並んで配されており、
上記した一対の導通端子が、接触端子列の両端部に位置していることを特徴とする請求項１に記載の接続判定機構。
【請求項１５】
請求項１〜１４のいずれかに記載の接続判定機構を備えた印刷装置。
【請求項１６】
電子装置とユニットとの間を接続する接続部材の接続状態を判定する接続判定方法において、
上記の接続部材が、複数の接触端子を有する第１コネクタを備え、この第１コネクタを電子装置に設けられた第２コネクタに装着することで電子装置に接続されるように設計されており、
第１コネクタが、互いに導通している一対の導通端子を備えており、
第２コネクタが、第１コネクタを装着した状態で上記の導通端子に接触する一対の判定端子を備えており、
この判定端子の導通状態を判定することで、接続部材が電子装置に接続されているか否かを判定する判定工程を含んでいることを特徴とする接続判定方法。
【請求項１７】
電子装置に接続されたコンピューターに、請求項１６に記載の判定工程を実行させるための接続判定プログラム。
【請求項１８】
請求項１７に記載の接続判定プログラムを記録した記録媒体。
【発明の詳細な説明】
【技術分野】
【０００１】
本発明は、電子装置とユニットとの間を接続する接続部材の接続状態を判定する接続判定機構に関するものである。
【背景技術】
【０００２】
従来、プリンターは、メインの制御基板やメモリー基板などの複数の基板を内部に備えている。そして、これらの基板間を、コネクタ付きケーブルやスロットなどで接続するようになっている。
また、パーソナルコンピューター（ＰＣ）の画像データをプリンターによって印刷できるシステムでは、ＰＣとプリンターとを、コネクタ付きケーブルで接続している。
【０００３】
特許文献１には、上記のようなコネクタ付ケーブルが適切に装置に装着されているか否かを検出する技術（接続判定機構）が開示されている。
この技術では、基板のコネクタ装着部に検知端子を設け、ケーブルのコネクタの筐体外部に短絡用の弾性接触子を備えている。そして、検知端子と弾性接触子とが導通しているか否かを検知することで、コネクタの装着状態を調べるようになっている。
【特許文献１】実開平８−００１３８８号公報（公開日；１９９６年９月１３日）
【特許文献２】特開昭６２−２６７６７４号公報（公開日；１９８７年１１月２０日）
【発明の開示】
【発明が解決しようとする課題】
【０００４】
しかしながら、特許文献１の接続判定機構では、従来のコネクタ端子とは形状の大きく異なる、専用の検知端子・弾性接触子を必要とする。このため、装置の製造コストが増大するという問題がある。
本発明は、上記のような従来の問題点に鑑みてなされたものである。そして、その目的は、製造コストの安価な接続判定機構を提供することにある。
【課題を解決するための手段】
【０００５】
上記の目的を達成するために、本発明の接続判定機構（本判定機構）は、電子装置とユニットとの間を接続する接続部材の接続状態を判定する接続判定機構において、
上記の接続部材が、複数の接触端子を有する第１コネクタを備え、この第１コネクタを電子装置に設けられた第２コネクタに装着することで電子装置に接続されるように設計されており、
第１コネクタが、互いに導通している一対の導通端子を備えており、
第２コネクタが、第１コネクタを装着した状態で上記の導通端子に接触する一対の判定端子を備えており、
さらに、この判定端子の導通状態を判定することで、接続部材が電子装置に接続されているか否かを判定する制御部を備えていることを特徴とする構成である。
【０００６】
本判定機構は、印刷装置などの電子装置と、電子装置に備えられるユニットとの間を接続する、接続部材の接続状態を判定するものである。
ここで、ユニットとは、電子装置に備えられ、電子装置に対して付加的な機能を与える部材のことである。このユニットとしては、例えば、増設メモリー基板や、キーボード，モニター，給紙装置等を挙げられる。
また、接続部材とは、コネクタ付きケーブルや、ハーネス，ＦＰＣ等の、ユニットと電子装置との間を接続するためのものである。
【０００７】
また、この接続部材は、接続部材と電子装置との接続を確立するための、第１コネクタを備えている。また、電子装置は、接続部材の第１コネクタを装着するための、第２コネクタを備えている。
すなわち、第１コネクタを第２コネクタに装着することで、接続部材は、電子装置とユニットとの間の情報や電力の送受信を媒介することが可能となる。
【０００８】
また、特に、本判定機構では、接続部材の第１コネクタにおける複数の接触端子のうちの２つ（一対）を、互いに導通している導通端子として構成している。
また、電子装置の第２コネクタに、第１コネクタを装着した状態で上記の導通端子に接触する一対の判定端子（上記の導通端子に対応する端子）を備えている。
【０００９】
従って、本判定機構では、第１コネクタを第２コネクタに装着した状態では、第２コネクタの一対の判定端子は、第１コネクタの一対の導通端子を介して、互いに導通した状態となっている。
そして、本判定機構では、制御部によって、第２コネクタの判定端子の導通状態を判定することで、接続部材が電子装置に接続されているか否かを判定するようになっている。
【００１０】
これにより、本判定機構では、電子装置内の判定端子の導通状態を判定するだけで、電子装置に対する接続部材の接続状態（接続部材の第１コネクタが電子装置の第２コネクタに装着されているか否か）を判定できる。従って、接続部材の接続状態を非常に容易に判定できるようになっている。
【００１１】
また、本判定機構では、第１・第２コネクタに複数形成されている端子のうちの２つづつ（導通端子，判定端子）を用いて、接続状態の判定を行うように設計されている。
すなわち、本判定機構では、第１・第２コネクタの端子のうち、情報や電力の送受信に使用してない２つの端子を導通端子，判定端子として用いることで、接続状態の判定を行える。
【００１２】
従って、本判定機構では、接続判定のために、従来のコネクタ端子とは形状の大きく異なる、専用の検知端子・弾性接触子を必要としない。このため、本判定機構は、製造コストの安価な接続判定機構となっている。
【００１３】
なお、電子装置とユニットとを接続部材で接続している既存の構成では、接続部材や電子装置のコネクタに情報や電力の送受信に使用してない端子を持たないのないものもある。
このような構成であっても、接続部材および電子装置のコネクタを、端子数の多いものに取り替えるだけで、本判定機構を利用することが可能である。
すなわち、通常のコネクタは、ほぼ同一形状で端子数の異なるものが多数市販されている。従って、上記のようなコネクタの取り替えは、非常に容易に行えることである。
【００１４】
また、電子装置に複数の接続部材が接続されている場合でも、本判定機構において、これらの接続状態を同時に判定することが可能である。
この場合、電子装置が、複数の接続部材を接続するために、複数の第２コネクタを備えており、この第２コネクタのそれぞれに、接続部材の第１コネクタが装着されることとなる。
【００１５】
このような構成では、各第２コネクタの一方の判定端子に電源を接続する。そして、各第２コネクタの他方の判定端子に接続された抵抗を並列に連結してなる抵抗群と、この抵抗群からの出力値を測定して出力する測定回路とを備えた接続判定回路を設けることが好ましい。
【００１６】
この接続判定回路では、並列接続された複数の抵抗のそれぞれと電源との間に、第２コネクタの一対の判定端子が介在することとなる。
従って、接続部材の第１コネクタが電子装置の第２コネクタに適切に装着されていない場合には、判定端子間が切断されるため、その第２コネクタに接続されている抵抗に電源が供給されない（すなわち、この抵抗が回路から外れた状態となる）。このため、この回路では、接続部材の接続状態に応じて、抵抗群の合成抵抗が変化することとなる。
【００１７】
従って、測定回路によって出力される抵抗群からの出力値（電流値あるいは電圧値）も、接続部材の接続状態に応じて変動する。これにより、制御部は、測定回路の出力値に基づいて、電子装置に接続されていない接続部材の有無を検出することが可能となる。
【００１８】
また、上記のような抵抗群を直接に接続する構成も実現可能である。
この構成では、各第２コネクタの一対の判定端子（判定端子間）に接続された抵抗を直列に連結してなる抵抗群と、この抵抗群からの出力値を測定して出力する測定回路とを備えた接続判定回路を設けることが好ましい。
また、この接続判定回路では、抵抗群の一方の端部に電源が供給されているとともに、他方の端部が接地されていることが好ましい。
【００１９】
この接続判定回路では、直列に接続された複数の抵抗のそれぞれが、一対の判定端子間に配される。
従って、接続部材の第１コネクタが電子装置の第２コネクタに適切に装着されている場合には、判定端子間が導通（短絡）しているため、抵抗の端部に入力された電流が抵抗を介さずに判定端子間を流れる。このため、この場合には、抵抗に電源が供給されない（すなわち、この抵抗が回路から外れた状態となる）。
一方、第１コネクタが第２コネクタに適切に装着されていない場合には、電流は判定端子間を流れられずに抵抗を流れるため、抵抗に電源が供給される。
【００２０】
このように、この回路では、接続部材の接続状態に応じて、抵抗群の合成抵抗が変化することとなる。
従って、測定回路によって出力される抵抗群からの出力値（電流値あるいは電圧値）も、接続部材の接続状態に応じて変動する。これにより、制御部は、測定回路の出力値に基づいて、電子装置に接続されていない接続部材の有無を検出することが可能となる。
【００２１】
なお、上記した２種類の接続判定回路（抵抗を並列に連結した抵抗群を有するもの、および、抵抗を直列に連結した抵抗群を有するもの）では、定電圧電源あるいは定電流電源のいずれを用いてもよい。
【００２２】
また、上記した２種類の接続判定回路では、抵抗群の複数の抵抗が互いに異なる抵抗値を有していることが好ましい。
この場合には、回路から外れた抵抗がどれであるか（すなわち、電子装置から外れた（あるいは電子装置に接続された）接続部材がどれであるか）によって、抵抗群の合成抵抗が変動する。
従って、制御部は、測定回路の出力値によって、電子装置に接続されていない接続部材の有無に加えて、電子装置に接続されていない接続部材がどれであるのかを判定できる。
【００２３】
また、このような構成は、各抵抗の抵抗値を、以下(a)〜(c)のいずれかを満たすように設定することで、容易に実現できる。
(a)「抵抗群の抵抗が、他の抵抗に対して２のべき乗となる」
(b)「抵抗群の抵抗が、他の抵抗に対して１０のべき乗となる」
(c)「抵抗群の抵抗が、他の抵抗に対して素数となる」
ここで、「他の抵抗に対して２のべき乗（１０のべき乗，素数）となる」とは、「抵抗群における最も小さい抵抗によって規格化した場合に、他の抵抗が、互いに異なる２のべき乗（１０のべき乗，素数）の値となる」ということである。
【００２４】
また、上記した２種類の接続判定回路では、測定回路が、抵抗群からの出力電圧を差動増幅し、デジタル信号に変換して出力するようになっていることが好ましい。これにより、制御部は、デジタル信号に基づいて接続部材の接続状態を判定できる。従って、制御部の構成を簡略化することが可能となる。
【００２５】
また、上記した２種類の接続判定回路は、電源を、第１コネクタの接触端子を介してユニットに供給するように設計されていてもよい。
この構成では、ユニットの駆動電源として、接続判定回路の電源を利用できる。従って、本判定機構を備えることによる電源数の増加を防止できる。
また、接続判定のためだけに使用する第１・第２コネクタの端子を１つだけにできる。これにより、本判定機構の製造コストを低減でき、さらに、第１・第２コネクタの小型化を図れる。
【００２６】
また、本判定機構によって、接続判定機構が電子装置とユニットとの双方に適切に接続されているか否か、を判定することも可能である。
この場合には、接続部材が、複数の接触端子を有する第３コネクタを備え、この第３コネクタをユニットに設けられた第４コネクタに装着することで電子装置に接続されるように設計されていることが好ましい。
そして、第１コネクタの導通端子が、第３コネクタを第４コネクタに装着することで互いに導通するように設計されていることが好ましい。
【００２７】
この構成では、第１コネクタと第２コネクタとが適切に接続され、かつ、第３コネクタと第４コネクタとが適切に接続されている場合以外では、第２コネクタ内の判定端子間の導通が切断された状態となる。
これにより、制御部は、電子装置内の第２コネクタの判定端子の導通状態を判定することで、電子装置およびユニットに対する接続部材の接続状態を判定することが可能となる。
【００２８】
また、第１コネクタが、接触端子を列状に並んで配した構成を有している場合、導通端子の一方として、接触端子列の端部に位置している端子を用いることが好ましい。
【００２９】
通常、コネクタにおいて最も外れやすい端子は、端子列の端部のものである。従って、端部の端子を導通端子とすることで、接続部材の接続状態を正確に判定できる。
【００３０】
また、もちろん、接触端子列の両端部に位置している端子を、一対の導通端子として用いることも好ましい。これにより、接続部材の接続状態をより正確に判定できる。
【００３１】
また、本発明の接続判定方法（本判定方法）は、電子装置とユニットとの間を接続する接続部材の接続状態を判定する接続判定方法において、
上記の接続部材が、複数の接触端子を有する第１コネクタを備え、この第１コネクタを電子装置に設けられた第２コネクタに装着することで電子装置に接続されるように設計されており、
第１コネクタが、互いに導通している一対の導通端子を備えており、
第２コネクタが、第１コネクタを装着した状態で上記の導通端子に接触する一対の判定端子を備えており、
この判定端子の導通状態を判定することで、接続部材が電子装置に接続されているか否かを判定する判定工程を含んでいることを特徴とする方法である。
【００３２】
本判定方法は、上記した本判定機構によって使用されている方法である。従って、本判定方法では、電子装置内の判定端子の導通状態を判定するだけで、電子装置に対する接続部材の接続状態（接続部材の第１コネクタが電子装置の第２コネクタに装着されているか否か）を判定できる。従って、接続部材の接続状態を非常に容易に判定できる。
【００３３】
また、本判定方法では、第１・第２コネクタに複数形成されている端子のうちの２つ（導通端子，判定端子）を用いて接続状態の判定を行うように設計されている。すなわち、本判定方法では、第１・第２コネクタの端子のうち、情報や電力の送受信に使用してない２つの端子を導通端子，判定端子として用いることで、接続状態の判定を行える。
【００３４】
従って、本判定方法では、接続判定のために、従来のコネクタ端子とは形状の大きく異なる、専用の検知端子・弾性接触子を必要としない。このため、本判定方法を用いれば、低コストで接続判定を行うことが可能である。
【００３５】
また、本発明の接続判定プログラムは、電子装置に接続されたコンピューターに、本判定方法の判定工程を実行させるためのプログラムである。
【００３６】
また、本発明の接続判定プログラムを、電子装置に接続されたコンピューターを本判定機構の接続部材として機能させるためのプログラムである、と表現することもできる。
【００３７】
一般的な電子装置のコンピューター（あるいは電子装置に接続されたコンピューター）にこれらのプログラムを読み込ませることで、本判定方法における判定工程（あるいは本判定機構装置における制御部）の処理を、そのコンピューターによって実現することが可能となる。
また、これらのプログラムをコンピューターが読取可能な記録媒体に記録させておくことで、プログラムの保存・流通を容易に行えるようになる。
【発明の効果】
【００３８】
以上のように、本発明の接続判定機構（本判定機構）は、電子装置とユニットとの間を接続する接続部材の接続状態を判定する接続判定機構において、上記の接続部材が、複数の接触端子を有する第１コネクタを備え、この第１コネクタを電子装置に設けられた第２コネクタに装着することで電子装置に接続されるように設計されており、第１コネクタが、互いに導通している一対の導通端子を備えており、第２コネクタが、第１コネクタを装着した状態で上記の導通端子に接触する一対の判定端子を備えており、さらに、この判定端子の導通状態を判定することで、接続部材が電子装置に接続されているか否かを判定する制御部を備えている構成である。
【００３９】
本判定機構では、接続部材の第１コネクタにおける複数の接触端子のうちの２つ（一対）を、互いに導通している導通端子として構成している。
また、電子装置の第２コネクタに、第１コネクタを装着した状態で上記の導通端子に接触する一対の判定端子（上記の導通端子に対応する端子）を備えている。
【００４０】
従って、本判定機構では、第１コネクタを第２コネクタに装着した状態では、第２コネクタの一対の判定端子は、第１コネクタの一対の導通端子を介して、互いに導通した状態となっている。
そして、本判定機構では、制御部によって、第２コネクタの判定端子の導通状態を判定することで、接続部材が電子装置に接続されているか否かを判定するようになっている。
【００４１】
これにより、本判定機構では、電子装置内の判定端子の導通状態を判定するだけで、電子装置に対する接続部材の接続状態（接続部材の第１コネクタが電子装置の第２コネクタに装着されているか否か）を判定できる。従って、接続部材の接続状態を非常に容易に判定できるようになっている。
【００４２】
また、本判定機構では、第１・第２コネクタに複数形成されている端子のうちの２つづつ（導通端子，判定端子）を用いて、接続状態の判定を行うように設計されている。すなわち、本判定機構では、第１・第２コネクタの端子のうち、情報や電力の送受信に使用してない２つの端子を導通端子，判定端子として用いることで、接続状態の判定を行える。
【００４３】
従って、本判定機構では、接続判定のために、従来のコネクタ端子とは形状の大きく異なる、専用の検知端子・弾性接触子を必要としない。このため、本判定機構は、製造コストの安価な接続判定機構となっている。
【発明を実施するための最良の形態】
【００４４】
本発明の一実施形態について説明する。
本実施の形態にかかる印刷装置（本印刷装置）は、外部から入力した画像データを印刷用紙（シート）に印刷して出力するプリンタである。
【００４５】
図１は、本印刷装置の構成を示す説明図である。
この図に示すように、本印刷装置は、プリンタ部１０２、プリンタ部１０２の下に配置された給紙ユニット部１０３、給紙ユニット部１０３の右側に設置された給紙ユニット１２０，プリンタ部１０２上に形成された排出トレイ１２６とを備えている。
【００４６】
プリンタ部１０２は、外部から入力された画像データに基づいて、シートに画像を印刷するためのものである。
そして、このプリンタ部１０２は、図１に示すように、感光体ドラム１０４と、この感光体ドラム１０４の周囲に配置された帯電ユニット１０５，光走査ユニット１０６，現像ユニット１０７，転写ユニット１０８，クリーニングユニット１０９および定着ユニット１２７とからなる、電子写真プロセス部をほぼ中央に配置している。
【００４７】
感光体ドラム１０４は、感光体材料を表面に有するドラム形状の感光体である。
帯電ユニット１０５は、感光体ドラム１０４の表面を均一に帯電させるものである。
光走査ユニット１０６は、画像データに応じて変調されたレーザー光によって、均一に帯電された感光体ドラム１０４上を走査し、感光体ドラム１０４上に静電潜像を書き込むものである。
【００４８】
現像ユニット１０７は、光走査ユニット１０６によって書き込まれた静電潜像を現像剤（トナーなど）によって現像（顕像化）し、現像材像を生成するものである。
転写ユニット１０８は、感光体ドラム１０４上の現像材像を、シートに転写するものである。
定着ユニット１２７は、画像（現像材像）を転写されたシートを熱圧着することによって、シートに画像を定着させるものである。
【００４９】
クリーニングユニット１０９は、シートに対する現像材像の転写後に感光体ドラム１０４上に残留した現像剤を除去するものである。これにより、感光体ドラム１０４上に、新たな潜像を形成できるようになる。
なお、このクリーニングユニット１０９により除去された残留現像剤は、現像ユニット１０７の現像剤供給部１１０に回収され、リサイクルされる。
【００５０】
排出トレイ１２６は、プリンタ部１０２によって印刷されたシートを排出するトレイである。
【００５１】
給紙ユニット部１０３は、印刷に使用するシートを蓄積するとともに、印刷時に、シートをプリンタ部１０２に供給する機能を有するものである。
【００５２】
図１に示すように、給紙ユニット部１０３は、給紙トレイ１１１〜１１４，手差し給紙ユニット１１８からなる複数の給紙装置を備えており、サイズや材質の異なる多彩なシートを分別して収容できるように設計されている。
【００５３】
給紙トレイ１１１〜１１４は、給紙ユニット部１０３を形成するフレーム１１７の内部に配された給紙装置である。
そして、給紙トレイ１１１と給紙トレイ１１２とは、給紙ユニット部１０３の上部付近に、互いに並列になるように配置されている。
また、給紙トレイ１１３は、給紙トレイ１１１・１１２の下側に配置されており、さらに給紙トレイ１１３の下側に給紙トレイ１１４が配置されている。
【００５４】
また、給紙トレイ１１３と給紙トレイ１１４との容量は同程度である。さらに、給紙トレイ１１１・１１２の容量は、給紙トレイ１１３・１４よりも大きく設定されている。
また、各給紙トレイ１１１〜１１４に対するシートの補給については、本印刷装置の前面側方向（紙面に垂直な方向）に給紙トレイ１１１〜１１４を引き出すことにより行われる。
【００５５】
手差し給紙ユニット１１８は、比較的少量のシートを、外部から直接に（容易に）セットできる手差し給紙トレイ１１９を備えた給紙装置である。
【００５６】
また、図１に示すように、給紙ユニット部１０３は、第１搬送経路１１５，第２搬送経路１１６，第３搬送経路１２１，第４搬送経路１２４を備えている。
第１搬送経路１１５は、給紙ユニット部１０３のフレーム１１７に沿って鉛直方向に延びた搬送経路であり、給紙トレイ１１１・１１３・１１４のシートをプリンタ部１０２に向けて搬送するものである。
【００５７】
一方、第２搬送経路１１６は、フレーム１１７に垂直な方向（水平方向）に延びた搬送経路であり、給紙トレイ１１２のシートをプリンタ部１０２に向けて搬送するものである。
また、第２搬送経路１１６は、第３搬送経路１２１および第４搬送経路１２４を介して供給される、手差し給紙ユニット１１８，給紙ユニット１２０のシートを、プリンタ部１０２に搬送する機能も有している。
【００５８】
第３搬送経路１２１は、手差し給紙ユニット１１８のシートを第２搬送経路１１６に搬送する搬送経路である。
第４搬送経路１２４は、後述する給紙ユニット１２０のシートを第２搬送経路１１６に搬送する搬送経路である。
【００５９】
給紙ユニット１２０は、本印刷装置のオプション装置であり、給紙トレイ１１１〜１１４，１１９に比べて、大きな容量を有する給紙装置である。
図１に示すように、給紙ユニット１２０は、リフトトレイ部１４０，ピックアップ機構１４１を備えている。
【００６０】
リフトトレイ部１４０は、図１に示すリフトモータ１４２，昇降トレイ１４３，滑車１４４を備えている。昇降トレイ１４３は、積み重ねられたシート（シート束）を収容するための給紙トレイである。また、リフトモータ１４２・滑車１４４は、昇降トレイ１４３を昇降させるための機構である。
さらに、ピックアップ機構１４１は、昇降トレイ１４３のシートを、給紙ユニット部１０３の第４搬送経路１２４に送り込むものである。
【００６１】
また、本印刷装置は、本印刷装置の全動作を制御する制御部３１を備えている。
図２は、本印刷装置の制御機構を示すブロック図である。
この図に示すように、本印刷装置は、上記したプリンタ部１０２，給紙ユニット部１０３，給紙ユニット１２０，排出トレイ１２６に加えて、操作部３２を備えており、これらを制御部３１によって制御する構成である。
【００６２】
なお、操作部３２は、ユーザーの入力指示を受け付け、制御部３１に伝達するものである。また、操作部３２は、ユーザーに対して、制御部３１からの所定のメッセージを表示する表示画面（図示せず）も有している。
【００６３】
そして、本印刷装置では、外部から画像データを入力した場合、制御部３１が、プリンタ部１０２の給紙トレイ１１１〜１１４，手差し給紙ユニット１１８あるいは給紙ユニット１２０から１つの給紙装置を選択する。その後、制御部３１は、選択した給紙装置のシートを、１枚毎に、搬送ローラを用いてプリンタ部１０２の感光体ドラム１０４と転写ユニット１０８との間に搬送させる。
【００６４】
さらに、制御部３１は、画像データに基づいてプリンタ部１０２上の各部材を制御し、感光体ドラム１０４上に現像材像を形成する。そして、この現像材像をシートに転写（印刷）させ、排出トレイ１２６に排出するように設定されている。
【００６５】
次に、本印刷装置の特徴的な構成である、接続判定機構（本判定機構）について詳細に説明する。
【００６６】
本印刷装置は、図２に示すように、上記した制御部３１を備えた制御基板（電子装置）３１ａを有している。そして、この基板３１ａに対し、プリンタ部１０２，給紙ユニット部１０３，給紙ユニット１２０，排出トレイ１２６，操作部３２や、その他の本印刷装置に対して付加的な機能を与える部材（以下、ユニットと総称する）が、コネクタ付きケーブル（接続部材）によって接続されている。
そして、制御基板３１ａ（制御部３１）は、コネクタ付きケーブルを介して各ユニットと情報や電力の送受信を行い、各ユニットを制御するように設計されている。
【００６７】
このコネクタ付きケーブルは、複数の配線を束ね、その両端にコネクタを設けた構成であり、制御基板３１ａおよびユニットに対して着脱可能に接続されている。
そして、本判定機構は、各ユニットのコネクタ付きケーブルと制御基板３１ａとが適切に接続されているか否かを判定するためのものである。
【００６８】
図３（ａ）〜（ｃ）は、コネクタ付きケーブルの接続状態を示す説明図である。図３（ａ）に示すように、制御基板３１ａには、規則的に並べられた端子ピンＰ１〜Ｐｎを備えたピンコネクタ（第２コネクタ）Ｓが設けられている。
一方、コネクタ付きケーブルＣＢは、先端にコネクタ（第１コネクタ）ＣＮを備えている。そして、このコネクタＣＮに、ピンコネクタＳの端子ピンＰ１〜Ｐｎを挿入してこれらに電気的に接触する、複数のソケット（図示せず）が設けられている。また、このソケットは、コネクタＣＮ内で列状に配列されている。
【００６９】
このようなコネクタ付きケーブルＣＢが制御基板３１ａに適切に（完全に）接続された場合、図３（ｂ）に示すように、全ての端子ピンＰ１〜Ｐｎが、コネクタＣＮのソケットに挿入されて隠れた状態となる。
一方、コネクタ付きケーブルＣＢが制御基板３１ａに適切に（完全に）接続されていない場合、例えば図３（ｃ）に示すように、端子ピンＰ１〜Ｐｎの一部がコネクタＣＮのソケットに完全に入らず、外部から見える状態となる。
【００７０】
そして、本判定機構は、このような不完全な状態で接続されているコネクタ付きケーブルＣＢの有無を検出するように設計されている。
さらに、本判定機構は、そのコネクタ付きケーブルＣＢがどのユニットのものであるのかを判定する機能を有している。
【００７１】
まず、本判定機構の構成について説明する。
本判定機構は、制御部３１に加えて、図４に示すような接続判定回路を備えている。この接続判定回路は、上記したピンコネクタＳ，コネクタ付きケーブルＣＢに加えて、制御基板３１ａに備えられている抵抗Ｒ１〜Ｒ８からなる抵抗群１１，第１反転増幅器１２，第２反転増幅器１３，Ａ／Ｄ変換器１４を備えた構成である。
【００７２】
なお、以下では、本印刷装置の制御基板３１ａに、８つのユニットが接続されるとする。従って、図４に示すように、必要に応じて、コネクタ付きケーブルＣＢ，コネクタＣＮ，ピンコネクタＳに、８つのユニットに応じた１〜８の番号を付す。
【００７３】
本印刷装置（本判定機構）では、コネクタ付きケーブルＣＢにおけるコネクタＣＮに列状に配されたソケットのうち、両端部に位置している２つのソケット（判定ソケット；導通端子）、および、これら２つの判定ソケットに挿入されるピンコネクタＳの２つのピン端子（判定ピン；判定端子）を、ユニットと制御基板３１ａとの情報の送受信に使用しない、接続判定専用の部材として使用する。
【００７４】
そして、上記の判定ソケットは、コネクタ付きケーブルＣＢ内で互いに接続された（短絡された）状態となっている。すなわち、図４に示すように、コネクタ付きケーブルＣＢ内に、２つの判定ソケットをつなぐ短絡回路ＳＣが設けられている。
【００７５】
そして、図４に示すように、この判定ソケットに挿入される２つの判定ピンＰａ・Ｐｂのうち、判定ピンＰａは、定電圧電源に接続されており、定電圧Ｖｉが印加されている。一方、判定ピンＰｂは、抵抗群１１の抵抗に接続されている。
【００７６】
従って、本判定機構では、判定ソケットに判定ピンＰａ・Ｐｂの双方が挿入された場合、すなわち、コネクタ付きケーブルＣＢのコネクタＣＮがピンコネクタＳに適切に接続された場合に、判定ピンＰａ・Ｐｂ間が、判定ソケットおよび短絡回路ＳＣを介して導通することとなる。
【００７７】
抵抗群１１は、ピンコネクタＳ１〜８の判定ピンＰｂに接続される抵抗Ｒ１〜Ｒ８を、互いに並列に並べた構成を有している。
また、抵抗Ｒ１〜Ｒ８は、接点Ｔを介して、第１反転増幅器１２の入力に接続されている。
【００７８】
また、第２反転増幅器１３は、抵抗Ｒａ２を介して第１反転増幅器１２の出力に接続されている。また、Ａ／Ｄ変換器１４は、第２反転増幅器１３の出力電圧Ｖｏを入力してデジタル信号に変換するものである。
【００７９】
なお、第２反転増幅器１３の出力電圧Ｖｏは、以下の式（１）で表される値となる。
Ｖｏ＝（Ｒｆ１／Ｒａ１）（Ｒｆ２／Ｒａ２）・Ｖｉ  …  （１）
図４に示すように、Ｒｆ１は第１反転増幅器１２の負帰還抵抗（ゲイン抵抗）値であり、Ｒｆ２は第２反転増幅器１３の負帰還抵抗（ゲイン抵抗）の値である。また、Ｒａ１は、抵抗群１１における抵抗Ｒ１〜Ｒ８の合成抵抗値である。
【００８０】
ここで、抵抗群１１における抵抗Ｒ１〜Ｒ８の抵抗値について説明する。これらの抵抗Ｒ１〜Ｒ８は、互いに異なる抵抗値を有している。そして、抵抗群における最も小さい抵抗Ｒ１を１に規格化した場合に、他の抵抗Ｒ２〜Ｒ８が、互いに異なる２のべき乗の値となるように設定されている。
なお、抵抗群１１の合成抵抗Ｒａ１は、以下の（２）式によって算出される。
Ｒａ１＝
（Ｒ１−１＋Ｒ２−１＋Ｒ３−１＋Ｒ４−１＋Ｒ５−１＋Ｒ６−１＋Ｒ７−１＋Ｒ８−１）−１
…  （２）
なお、「抵抗Ｒ１〜Ｒ８のいずれかが回路から外れた場合」とは、ピンコネクタＳ１〜８のいずれかで判定ピンＰａ・Ｐｂが導通していない場合、すなわち、ピンコネクタＳ１〜８のいずれかに、コネクタ付きケーブルＣＢ１〜８のコネクタＣＮ１〜８が適切に接続されていない場合（接続不良の場合）である。
【００８１】
また、表１は、抵抗Ｒ１〜Ｒ８のいずれか１個が回路から外れた場合（コネクタＣＮ１〜８のいずれか１個が接続不良の場合）における、接続不良のコネクタＣＮの番号（不良コネクタ番号），回路から外れた抵抗（抵抗値）Ｒｎ（ｎ＝１〜８）、Ａ／Ｄ変換器１４からの出力値（Ａ／Ｄ出力）を示す表である。
【００８２】
【表１】
2005243575.tif 000003
【００８３】
なお、この表での個々の抵抗Ｒｎは、抵抗Ｒ１の値を１とするように規格化している。また、Ａ／Ｄ変換器１４の出力値は、接続不良のコネクタＣＮがない場合に２５５となるように設定されている。
【００８４】
また、図５は、表１に示した接続不良のコネクタＣＮの番号（不良コネクタ番号）と、Ａ／Ｄ変換器１４の出力値（Ａ／Ｄ出力）との関係を示すグラフである。
表１および図５に示すように、本印刷装置の本判定機構では、コネクタＣＮ１〜８のいずれが接続不良であるか、に応じて、Ａ／Ｄ変換器１４の出力値が変わるようになっている。
【００８５】
次に、本判定機構の動作について説明する。
制御部３１は、Ａ／Ｄ変換器１４の出力値を、定期的に取得する。そして、この出力値が２５５より小さくなった場合、その値に応じて、いずれのコネクタＣＮが接続不良となっているのか、を判定する。
その後、制御部３１は、接続不良となっているコネクタＣＮを有するユニットを特定する。そして、制御部３１は、操作部３２を制御して、接続不良のユニットのあること、および、どのユニットが接続不良であるのか、をユーザーに伝達する。
【００８６】
以上のように、本判定機構では、コネクタ付きケーブルＣＢのコネクタＣＮにおける複数のソケットのうちの２つ（一対）を、互いに導通している判定ソケットとして構成している。
また、制御基板３１ａのピンコネクタＳに、コネクタＣＮを装着した状態で上記の判定ソケットに接触する一対の判定ピンＰａ・Ｐｂ（上記の判定ソケットに対応するピン端子）を備えている。
【００８７】
従って、本判定機構では、コネクタＣＮをピンコネクタＳに装着した状態では、ピンコネクタＳの一対の判定ピンＰａ・Ｐｂは、コネクタＣＮの一対の判定ソケットを介して、互いに導通した状態となっている。
そして、本判定機構では、制御部３１によって、ピンコネクタＳの判定ピンＰａ・Ｐｂの導通状態を判定することで、コネクタ付きケーブルＣＢが制御基板３１ａに接続されているか否かを判定するようになっている。
【００８８】
これにより、本判定機構では、制御基板３１ａ内の判定ピンＰａ・Ｐｂの導通状態を判定するだけで、制御基板３１ａに対するコネクタ付きケーブルＣＢの接続状態（コネクタＣＮが制御基板３１ａのピンコネクタＳに適切に装着されているか否か）を判定できる。従って、コネクタ付きケーブルＣＢの接続状態を非常に容易に判定できるようになっている。
【００８９】
また、本判定機構では、コネクタＣＮ・ピンコネクタＳに複数形成されている端子のうちの２つづつ（判定ソケット，判定ピンＰａ・Ｐｂ）を用いて、接続状態の判定を行うように設計されている。すなわち、本判定機構では、コネクタＣＮ・ピンコネクタＳの端子のうち、情報や電力の送受信に使用してない２つの端子を判定ソケット，判定ピンＰａ・Ｐｂとして用いることで、接続状態の判定を行える。
【００９０】
従って、本判定機構では、接続判定のために、従来のコネクタ端子とは形状の大きく異なる、専用の検知端子・弾性接触子を必要としない。このため、本判定機構は、製造コストの安価な接続判定機構となっている。
【００９１】
なお、制御基板３１ａとユニットとをコネクタ付きケーブルＣＢで接続している既存の構成では、コネクタ付きケーブルＣＢや制御基板３１ａのコネクタに情報や電力の送受信に使用してない端子を持たないものもある。
このような構成であっても、コネクタ付きケーブルＣＢおよび制御基板３１ａのコネクタを、端子数の多いものに取り替えるだけで、本判定機構を利用することが可能である。
すなわち、通常のコネクタは、ほぼ同一形状で端子数の異なるものが多数市販されている。従って、上記のようなコネクタの取り替えは、非常に容易に行えることである。
【００９２】
また、本判定機構では、制御基板３１ａが、複数のコネクタ付きケーブルＣＢを接続するために、複数のピンコネクタＳ（ピンコネクタＳ１〜８）を備えており、このピンコネクタＳのそれぞれに、コネクタ付きケーブルＣＢのコネクタＣＮが装着されている。
【００９３】
そして、図４に示したように、各ピンコネクタＳの一方の判定ピンＰａ・Ｐｂに定電圧電源を接続している。そして、各ピンコネクタＳの他方の判定ピンＰａ・Ｐｂに接続された抵抗Ｒ１〜Ｒ８を並列に連結してなる抵抗群と、この抵抗群からの出力電圧値を測定して出力する反転増幅器１２・１３およびＡ／Ｄ変換器１４からなる測定回路とを備えた、接続判定回路を制御基板３１ａに設けている。
【００９４】
この接続判定回路では、並列接続された複数の抵抗Ｒ１〜Ｒ８のそれぞれと電源との間に、ピンコネクタＳの一対の判定ピンＰａ・Ｐｂが介在することとなる。
従って、コネクタ付きケーブルＣＢのコネクタＣＮが制御基板３１ａのピンコネクタＳに適切に装着されていない場合には、判定ピンＰａ・Ｐｂ間が切断されるため、そのピンコネクタＳに接続されている抵抗に電源が供給されない（すなわち、この抵抗が回路から外れた状態となる）。
このため、この回路では、コネクタ付きケーブルＣＢの接続状態に応じて、抵抗群の合成抵抗Ｒａ１が変化することとなる。
【００９５】
従って、Ａ／Ｄ変換器１４の出力値も、表１に示したように、コネクタ付きケーブルＣＢの接続状態に応じて変動する。これにより、制御部３１は、Ａ／Ｄ変換器１４の出力値に基づいて、制御基板３１ａに接続されていないコネクタ付きケーブルＣＢの有無を検出することが可能となる。
このように、本判定機構では、制御基板３１ａに複数のコネクタ付きケーブルＣＢが接続されている場合でも、これらの接続状態を同時に判定することが可能となっている。
【００９６】
また、本判定機構の接続判定回路では、抵抗群の複数の抵抗Ｒ１〜Ｒ８が、互いに異なる抵抗値を有している。従って、回路から外れた抵抗がどれであるか（すなわち、制御基板３１ａから外れたコネクタ付きケーブルＣＢがどれであるか）によって、抵抗群の合成抵抗Ｒａ１が変動する。
従って、制御部３１は、Ａ／Ｄ変換器１４の出力値によって、制御基板３１ａに接続されていないコネクタ付きケーブルＣＢの有無に加えて、制御基板３１ａに接続されていないコネクタ付きケーブルＣＢがどれであるのかを判定できる。
【００９７】
また、本判定機構では、各抵抗の抵抗値Ｒ１〜Ｒ８を、「抵抗群の抵抗が、他の抵抗に対して２のべき乗となる」ように設定している。
これにより、抵抗群の合成抵抗Ｒａ１の変動が顕著となるため、制御基板３１ａは、御基板３１ａから外れたコネクタ付きケーブルＣＢを容易に特定することが可能となる。また、複数箇所の接続不良が生じたときに、不良箇所を特定しやすくなっている。
【００９８】
また、本判定機構では、コネクタＣＮが、ソケットを列状に並んで配した構成を有している。そして、判定ソケットとして、ソケット列の両端部に位置しているソケットを用いている。
通常、コネクタにおいて最も外れやすい端子は、端子列の端部のものである。従って、端部のソケット端子を判定ソケットとすることで、コネクタ付きケーブルＣＢの接続状態を正確に判定できる。
【００９９】
また、本判定機構では、Ａ／Ｄ変換器１４によって、第２反転増幅器１３の出力値をデジタル信号に変換し、制御部３１が、このデジタル信号に基づいて、接続不良のコネクタＣＮを判定するように設計されている。このため、制御部３１によってアナログ信号を処理する必要がないため、制御部３１の構成を簡略化することが可能となっている。
【０１００】
なお、本実施の形態では、抵抗群１１における抵抗Ｒ１〜Ｒ８の抵抗値を、抵抗Ｒ１〜Ｒ８のいずれかが回路から外れた場合に不良個所（外れた箇所）を特定するために、他の抵抗に対して２のべき乗となるように設定する、としている。
しかしながら、これに限らず、抵抗群１１における抵抗Ｒ１〜Ｒ８の抵抗値を、抵抗Ｒ１〜Ｒ８のいずれかが回路から外れた場合（いずれかのコネクタＣＮが接続不良となった場合）に不良個所を特定するために、他の抵抗に対して１０のべき乗となるように設定してもよい。
【０１０１】
表２は、抵抗Ｒ１〜Ｒ８の抵抗値をこのように設定した場合における、接続不良のコネクタＣＮの番号（不良コネクタ番号），回路から外れた抵抗（抵抗値）Ｒｎ（ｎ＝１〜８），Ａ／Ｄ変換器１４からの出力値（Ａ／Ｄ出力）を示す表である。
また、図６は、表２に示した接続不良のコネクタＣＮの番号（不良コネクタ番号）と、Ａ／Ｄ変換器１４の出力値（Ａ／Ｄ出力；実線）との関係を示すグラフである。
【０１０２】
【表２】
2005243575.tif 000004
【０１０３】
なお、この表２でも、表１と同様に、抵抗Ｒ１の値を１とするように規格化している。また、Ａ／Ｄ変換器１４の出力値は、接続不良のコネクタＣＮのない場合に、２５５となるように設定されている。
表２および図６に示すように、この場合にも、コネクタＣＮ１〜８のいずれが接続不良であるか、に応じて、Ａ／Ｄ変換器１４の出力値が変わるようになっている。
【０１０４】
さらに、この場合には、Ａ／Ｄ出力における数値の高い部分での差が、表１に示した結果よりも大きくなっている。例えば、不良コネクタがコネクタＣＮ８である場合と不良コネクタがない場合との差は、表１では１である一方、表２では４である。
従って、抵抗Ｒ１〜Ｒ８の抵抗値を１０のべき乗の値をとるように設定することにより、制御部３１による不良コネクタの判定ミスを低減できる。
【０１０５】
また、表２に示したＡ／Ｄ出力２は、最大出力値を２５５に維持したまま、最小出力値を１２８に下げた場合における、Ａ／Ｄ変換器１４の出力値である。また、図６では、このＡ／Ｄ出力２を破線で示している。
なお、Ａ／Ｄ変換器１４の最小出力値については、増幅器１２・１３のオフセットおよびゲイン（感度）を調整することにより実現できる。
このような調整を行う場合、Ａ／Ｄ変換器１４の出力値の差をより大きくできる。従って、制御部３１による判定ミスをより低減できる。
【０１０６】
なお、表２において抵抗Ｒ１〜Ｒ８（１０のべき乗）として示した数値は、上から順に、１００／６，１０１／６，１０２／６，１０３／６，１０４／６，１０５／６，１０６／６，１０８／６に相当するものである。
【０１０７】
さらに、抵抗群１１における抵抗Ｒ１〜Ｒ８の抵抗値を、抵抗Ｒ１〜Ｒ８のいずれかが回路から外れた場合（いずれかのコネクタＣＮが接続不良となった場合）に不良個所を特定するために、他の抵抗に対して素数となるように設定してもよい。
【０１０８】
表３は、抵抗Ｒ１〜Ｒ８の抵抗値をこのように設定した場合における、接続不良のコネクタＣＮの番号（不良コネクタ番号），回路から外れた抵抗（抵抗値）Ｒｎ（ｎ＝１〜８），Ａ／Ｄ変換器１４からの出力値（Ａ／Ｄ出力，Ａ／Ｄ出力２）を示す表である。
また、図７は、表３に示した接続不良のコネクタＣＮの番号（不良コネクタ番号）と、Ａ／Ｄ変換器１４の出力値（Ａ／Ｄ出力（実線），Ａ／Ｄ出力２（破線））との関係を示すグラフである。
【０１０９】
【表３】
2005243575.tif 000005
【０１１０】
なお、この表３では、表１と同様に、抵抗Ｒ１の値を１１とするように規格化している。また、Ａ／Ｄ変換器１４の出力値は、接続不良のコネクタＣＮがない場合に２５５となるように設定されている。
【０１１１】
表３および図７に示すように、この場合にも、接続不良のコネクタＣＮがコネクタＣＮ１〜８のいずれであるか、に応じて、Ａ／Ｄ変換器１４の出力値が変わるようになっている。
さらに、この場合には、Ａ／Ｄ出力における数値の高い部分での差が、表１および表２に示した結果よりも大きくなっている。例えば、コネクタＣＮ８が接続不良である場合と不良コネクタがない場合との差は、表３では１７（Ａ／Ｄ出力）となっている。
従って、抵抗Ｒ１〜Ｒ８の抵抗値を素数値に設定することにより、制御部３１による不良コネクタの判定ミスをより低減できる。
【０１１２】
また、本実施の形態では、制御基板３１ａに接続するユニットの数を８としているが、このユニット数はいくつでもかまわない。
表４は、抵抗群１１の抵抗を１０のべき乗の値をとるように設定する場合であって、制御基板３１ａに接続するユニット数が６，１２，２４の場合における、不良コネクタＣＮと抵抗群１１の抵抗との関係（一例）を示すものである。この表では、不良コネクタＣＮの番号を（ＣＮ１）のようにかっこ書きで示している。また、セミコロン「；」の後の数値は、不良コネクタＣＮに応じた抵抗の値である。
【０１１３】
【表４】
2005243575.tif 000006
【０１１４】
また、本実施の形態では、本判定機構における接続判定回路が、第１反転増幅器１２および第２反転増幅器１３を有するとしている。しかしながら、接続判定回路を、図８に示す構成としてもよい。
【０１１５】
図８に示す回路は、図４に示した構成において、第１反転増幅器１２に代えて、差動増幅器１５を備えたものである。
この差動増幅器１５では、オペアンプの非反転端子に基準電圧Ｖｒｅｆが入力されている。従って、この回路では、第２反転増幅器１３の出力電圧Ｖｏは、以下の式（３）で表される値となる。
【０１１６】
Ｖｏ＝−〔（（Ｒａ１＋Ｒｆ１）／Ｒａ１）Ｖｒｅｆ−（Ｒｆ１／Ｒａ１）Ｖｉ〕
・（Ｒｆ２／Ｒａ２）  …  （３）
なお、Ｒｆ１は差動増幅器１５の負帰還抵抗（ゲイン抵抗）値であり、Ｒｆ２は第２反転増幅器１３の負帰還抵抗（ゲイン抵抗）の値である。また、Ｒａ１は、抵抗群１１の合成抵抗値である。
【０１１７】
この回路では、第１反転増幅器１２よりも増幅率の高い差動増幅器１５を備えている。従って、第２反転増幅器１３の出力電圧Ｖｏの幅を大きくできる。これにより、Ａ／Ｄ変換器１４の出力値の幅も拡げられるため、制御部３１による不良コネクタの判定ミスを低減できる。
【０１１８】
また、図４に示した構成では、各コネクタ付きケーブルＣＢの挿入されるピンコネクタＳの２つの判定ピンＰａ・Ｐｂのうち、判定ピンＰａは、定電圧電源に接続されており、定電圧Ｖｉを印加されている。そして、この定電圧Ｖｉに基づいた値が、Ａ／Ｄ変換器１４から出力されるように設計されている。
【０１１９】
しかしながら、これに限らず、接続判定回路の電源として、定電流電源を用いてもよい。
図９は、定電流電源２１を用いた接続判定回路の構成を示す説明図である。
この図に示すように、この回路では、第１反転増幅器１２の反転端子に、抵抗Ｒｉを介して定電流電源２１が接続されており、この反転端子に定電流Ｉｏを印加している。
また、この回路では、第１反転増幅器１２の出力端子が判定ピンＰａに接続され、判定ピンＰａに、第１反転増幅器１２の出力電圧が印加されている。
【０１２０】
この回路では、第２反転増幅器１３の出力電圧Ｖｏは、以下の式（４）で表される値となる。
Ｖｏ＝Ｉｏ・〔（Ｒｆ１・Ｒａ１）／（Ｒａ１＋Ｒｆ１）〕・（Ｒｆ２／Ｒａ２）
…（４）
この回路でも、図４に示した回路と同様に、接続不良のコネクタＣＮがコネクタＣＮ１〜８のいずれであるか、に応じて、Ａ／Ｄ変換器１４の出力値が変わるようになっている。
【０１２１】
また、本実施の形態では、接続判定回路における抵抗群１１が、ピンコネクタＳ１〜８の判定ピンＰｂに接続される抵抗Ｒ１〜Ｒ８を、互いに並列に並べた構成を有するとしている。
しかしながら、これに限らず、抵抗Ｒ１〜Ｒ８を直列に接続する構成としてもよい。
【０１２２】
図１０は、抵抗Ｒ１〜Ｒ８を直列に接続した接続判定回路を示す説明図である。この図に示すように、この回路では、各ピンコネクタＳ１〜８の判定ピンＰａ・Ｐｂ間に、抵抗Ｒ１〜Ｒ８が接続されている。
さらに、ピンコネクタＳ１の判定ピンＰａに、抵抗Ｒｏを介して定電圧Ｖｉが印加されている。また、各ピンコネクタＳ２〜８の判定ピンＰａは、それぞれ、ピンコネクタＳ１〜７の判定ピンＰｂに接続されている。
また、ピンコネクタＳ８の判定ピンＰｂは、接地されている。
【０１２３】
さらに、ピンコネクタＳ１の判定ピンＰａは、ボルテージフォロワ回路１６の非反転端子に入力している。そして、ボルテージフォロワ回路１６の出力を、Ａ／Ｄ変換器１４によってデジタル信号に変換するように設計されている。
【０１２４】
この回路では、ボルテージフォロワ回路１６の出力電圧Ｖｏは、以下の式（５）で表される値となる。
Ｖｏ＝Ｒｎ／（Ｒｏ＋Ｒｎ）・Ｖｉ  …  （５）
ここで、Ｒｎは、接続不良のコネクタＣＮに対応するピンコネクタＳに接続されている抵抗である。
この回路でも、図４に示した回路と同様に、接続不良のコネクタＣＮがコネクタＣＮ１〜８のいずれであるか、に応じて、Ａ／Ｄ変換器１４の出力値が変わるようになっている。
【０１２５】
また、図１０に示したような、抵抗Ｒ１〜Ｒ８を直列に接続する構成において、定電流電源を用いることもできる。
図１１は、このような構成の接続判定回路を示す説明図である。この図に示すように、この回路は、図１０に示した構成において、ピンコネクタＳ１の判定ピンＰａに、定電流電源２１を接続して定電流Ｉｏを印加する構成である。また、この回路では、ピンコネクタＳ８の判定ピンＰｂは、抵抗Ｒｏを介して接地されている。
【０１２６】
この回路では、ボルテージフォロワ回路１６の出力電圧Ｖｏは、以下の式（６）で表される値となる。
Ｖｏ＝（Ｒｏ＋Ｒｎ）・Ｉｏ  …  （６）
ここで、Ｒｎは、接続不良のコネクタＣＮに対応するピンコネクタＳに接続されている抵抗である。
このように、抵抗が直列接続されている場合には、抵抗値の大きい抵抗からの引き算を行うことで、複数の不良個所を簡単に特定できる。
【０１２７】
例えば、抵抗値２，８，３２のコネクタが接続不良である場合、抵抗Ｒｏ＝０．５であるとき、合成抵抗値＝２＋８＋３２＋０．５＝４２．５を検知した接続判定回路（制御部３１）は、４２．５−０．５＝４２のようにＲｏを除去して、以下のように演算を行うことで、不良箇所を特定できる。
４２−３２＝１０    抵抗値３２のコネクタ；不良
１０−１６＜０      抵抗値１６のコネクタ；正常
１０−８＝２        抵抗値８のコネクタ；不良
２−４＜０          抵抗値４のコネクタ；正常
２−２＝０          抵抗値２のコネクタ；不良
この回路でも、図４に示した回路と同様に、接続不良のコネクタＣＮがコネクタＣＮ１〜８のいずれであるか、に応じて、Ａ／Ｄ変換器１４の出力値が変わるようになっている。
【０１２８】
また、図４の構成では、コネクタ付きケーブルＣＢ内に、２つの判定ソケットをつなぐ短絡回路ＳＣが設けられているとしている。そして、本判定機構が、各ユニットのコネクタ付きケーブルＣＢと制御基板３１ａとが適切に接続されているか否かを判定するとしている。
しかしながら、本判定機構によって、コネクタ付きケーブルＣＢが制御基板３１ａとユニットとの双方に適切に接続されているか否か、を判定することも可能である。
【０１２９】
以下では、この場合の構成を、コネクタ付きケーブルＣＢ１を用いて説明する。図１２に示すように、コネクタ付きケーブルＣＢ１の接続先であるユニットＵ１には、制御基板３１ａのピンコネクタＳ１と同様のピンコネクタＳａ１が備えられている。そして、このピンコネクタＳａ１に対し、コネクタ付きケーブルＣＢ１の他端に設けられているコネクタ（第３コネクタ）ＣＮａ１（コネクタＣＮ１と同様の構成）が接続される。
【０１３０】
そして、この構成では、図４ではコネクタ付きケーブルＣＢ１内にあった短絡回路ＳＣを、ピンコネクタＳａ１内に設けるように設計されている。すなわち、ピンコネクタ（第４コネクタ）Ｓａ１では、コネクタＣＮａ１の両端にある判定ソケットに対応する端子ピンが、互いに接続されている。
【０１３１】
この構成では、ピンコネクタＳａ１とコネクタＣＮａ１とが適切に接続され、かつ、ピンコネクタＳ１とコネクタＣＮ１とが適切に接続されている場合以外では、抵抗Ｒ１が回路から外れることとなる。
従って、この構成では、コネクタ付きケーブルＣＢと制御基板３１ａとの接続だけでなく、コネクタ付きケーブルＣＢとユニットとの接続状態についても判定することが可能である。
【０１３２】
また、本実施の形態では、ユニットと制御基板３１ａとをコネクタ付きケーブルＣＢで接続し、本判定機構によってコネクタ付きケーブルＣＢの接続状態を判定するとしている。
しかしながら、ユニットと制御基板３１ａとを、コネクタ付きケーブルＣＢ以外の他の接続部材で接続し、その接続状態を本判定機構によって判定するようにしてもよい。
【０１３３】
ここで、他の接続部材とは、例えば、フレキシブルプリント回路（ＦＰＣ）やフレキシブルフラットケーブル（ＦＦＣ）を挙げられる。図１３・図１４は、ＦＰＣおよびＦＦＣの概略構成を示す説明図である。
【０１３４】
これらの図に示すように、これらのケーブルは、ベースフィルム２０１，配線２０２，カバーレイ２０３を積層してなる構成である。
これらのケーブルでは、制御基板３１ａあるいはユニットに対する接続のため、端部Ｚ（接点部）において，カバーレイ２０３を剥がしての配線２０２を露出させている。そして、制御基板３１ａあるいはユニットに設けたコネクタＣに、この端部を直接挿入するように設計されている。
【０１３５】
このようなＦＰＣおよびＦＦＣを接続部材として用いる場合でも、その両側端部の配線をケーブル内で短絡しておき、この配線に接触するコネクタの端子を図４に示した判定ピンＰａ・Ｐｂピンとして用いることで、本印刷装置の本判定機構を実現することが可能である。
【０１３６】
また、本印刷装置の本判定機構を、コネクタ付きケーブルＣＢ等の接続部材を用いない構成にも利用できる。
例えば、制御基板３１ａには、直接に装着するタイプのサブ基板（プリント基板；例えば増設メモリー基板など）を備えることもできる。このようなサブ基板は、基板の側部にコネクタ（配線パターン）を有しており、このコネクタを、制御基板３１ａのスロットコネクタ（図示せず）に挿入するように設計されているものである。
【０１３７】
このような場合、サブ基板のコネクタの両端に、互いに短絡された状態の２つの端子を設けておき、この端子に接触するスロットコネクタの端子を図４に示した判定ピンＰａ・Ｐｂピンとして用いることで、本印刷装置の本判定機構を実現することが可能である。
【０１３８】
また、本実施の形態では、コネクタ付きケーブルＣＢ内あるいはユニット内に、２つの判定ソケットをつなぐ短絡回路ＳＣが設けられているとしている。しかしながら、これに限らず、短絡回路ＳＣに代えて、２つの判定ソケットを抵抗などの回路素子を介して接続するようにしてもよい。
【０１３９】
また、本実施の形態では、コネクタ付きケーブルＣＢは、両端にコネクタＣＮを有しており、制御基板３１ａおよびユニットに対して着脱可能に接続されるとしている。しかしながら、これに限らず、コネクタ付きケーブルＣＢの一方の端部を、例えばハンダ付けによって、ユニットに対して着脱不可能なように固定してもよい。
【０１４０】
また、本実施の形態では、本判定機構によって、コネクタ付きケーブルＣＢ等の接続部材が適切に接続されているか否かを判定するとしている。しかしながら、制御基板３１ａにコネクタ接続されるオプション装置（例えば後処理装置）のある場合、本判定機構によって、オプション装置が未装着であるか否かを判定するようにしてもよい。
この構成では、各オプション装置を制御基板３１ａに装着する場合には、図４等に示したコネクタ付きケーブルＣＢを用いる。そして、制御部３１は、このオプション装置に応じた抵抗が回路から外れていると判断した場合には、このオプション装置が装着されていないと判断することととなる。
【０１４１】
また、本実施の形態では、コネクタ付きケーブルＣＢにおけるコネクタＣＮの両端部に位置している２つの判定ソケット、および、これら２つの判定ソケットに挿入されるピンコネクタＳの２つの判定ピンＰａ・Ｐｂを、接続判定専用の部材として使用するとしている。
【０１４２】
しかしながら、これに限らず、判定ピンＰａとして、ユニットに駆動電圧（あるいは電流）を供給するための端子を用いてもよい。この構成では、ユニットの駆動源として、接続判定回路の定電圧電源あるいは定電流電源を使用できる。従って、本判定機構を備えることによる電源数の増加を防止できる。
また、接続判定のためだけに使用するソケット・端子を、１つだけにできる。これにより、本判定機構の製造コストを低減でき、さらに、コネクタＣＮおよびピンコネクタＳの小型化を図れる。
【０１４３】
また、本実施の形態では、コネクタ付きケーブルＣＢにおけるコネクタＣＮに列状に配されたソケットのうち、両端部に位置している２つのソケットを判定ソケットとして使用するとしている。しかしながら、これに限らず、判定ソケットの一方だけを、ソケット列の端部に位置しているソケットとしてもよい。
また、判定ソケットとしては、コネクタＣＮのいずれのソケット（２つ）を用いてもよい。また、どの場合でも、判定ソケットに挿入される端子ピンが、判定ピンＰａ・Ｐｂとなる。
また、コネクタＣＮ内のソケットは、列状に形成されている必要はなく、他の配列状態（例えば環状配列）となっていてもよい。
【０１４４】
また、本実施の形態では、コネクタ付きケーブルＣＢ等の接続部材によって本印刷装置の制御基板３１ａとユニットとを接続し、その接続状態を本判定機構によって判定するとしている。
しかしながら、印刷装置以外の他の電子機器であっても、判定ソケットを備えた接続部材を、判定ソケットに挿入される判定ピンとを備えたコネクタによって接続する機器であれば、本発明の本判定機構を備えることで、接続部材の接続状態を判定することが可能である。
【０１４５】
また、図１０に示した接続判定回路について、以下のように説明することもできる。すなわち、この構成では、各ピンコネクタＳの一対の判定ピンＰａ・Ｐｂ（判定ピンＰａ・Ｐｂ間）に接続された抵抗Ｒ１〜Ｒ８を直列に連結してなる抵抗群と、この抵抗群からの出力値を測定して出力する測定回路とを備えた接続判定回路を設けている。また、この接続判定回路では、抵抗群の一方の端部に電源が供給されているとともに、他方の端部が接地されている
この接続判定回路では、直列に接続された複数の抵抗Ｒ１〜Ｒ８のそれぞれが、一対の判定ピンＰａ・Ｐｂ間に配される。
従って、コネクタ付きケーブルＣＢのコネクタＣＮが制御基板３１ａのピンコネクタＳに適切に装着されている場合には、判定ピンＰａ・Ｐｂ間が導通（短絡）しているため、抵抗の端部に入力された電流が抵抗を介さずに判定ピンＰａ・Ｐｂ間を流れる。このため、この場合には、抵抗に電源が供給されない（すなわち、この抵抗が回路から外れた状態となる）。
一方、コネクタＣＮがコネクタＣＮに適切に装着されていない場合には、電流は判定ピンＰａ・Ｐｂ間を流れられずに抵抗を流れるため、抵抗に電源が供給される。
【０１４６】
このように、この回路では、コネクタ付きケーブルＣＢの接続状態に応じて、抵抗群の合成抵抗が変化することとなる。
従って、測定回路によって出力される抵抗群からの出力値（電流値あるいは電圧値）も、コネクタ付きケーブルＣＢの接続状態に応じて変動する。これにより、制御部３１は、測定回路の出力値に基づいて、制御基板３１ａに接続されていないコネクタ付きケーブルＣＢの有無を検出することが可能となる。
【０１４７】
また、本実施の形態では、表１〜３に示したように、抵抗Ｒ１〜Ｒ８の値を、抵抗Ｒ１を１あるいは１１とするように規格化するとしている。しかしながら、これに限らず、第１反転増幅器１２の負帰還抵抗Ｒｆ１の値を１とするように、抵抗Ｒ１〜Ｒ８の値を規格化してもよい。
【０１４８】
また、上記では、本印刷装置における全ての処理（コネクタ付きケーブルＣＢの接続判定など）を、制御部３１の制御により行うとしている。しかしながら、これに限らず、これらの処理を行うためのプログラムを記録媒体に記録し、このプログラムを読み出すことのできる情報処理装置（コンピューター）を、制御部３１に代えて用いるようにしてもよい。
【０１４９】
この構成では、情報処理装置の演算装置（ＣＰＵやＭＰＵ）が、記録媒体に記録されているプログラムを読み出して処理を実行する。従って、このプログラム自体が処理を実現するといえる。
【０１５０】
ここで、上記の情報処理装置としては、一般的なコンピューター（ワークステーションやパソコン）の他に、コンピューターに装着される、機能拡張ボードや機能拡張ユニットを用いることができる。
【０１５１】
また、上記のプログラムとは、処理を実現するソフトウェアのプログラムコード（実行形式プログラム，中間コードプログラム，ソースプログラム等）のことである。このプログラムは、単体で使用されるものでも、他のプログラム（ＯＳ等）と組み合わせて用いられるものでもよい。また、このプログラムは、記録媒体から読み出された後、装置内のメモリー（ＲＡＭ等）にいったん記憶され、その後再び読み出されて実行されるようなものでもよい。
【０１５２】
また、プログラムを記録させる記録媒体は、情報処理装置と容易に分離できるものでもよいし、装置に固定（装着）されるものでもよい。さらに、外部記憶機器として装置に接続するものでもよい。
【０１５３】
このような記録媒体としては、ビデオテープやカセットテープ等の磁気テープ、フロッピー（登録商標）ディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリーなどを適用できる。
また、ネットワーク（イントラネット・インターネット等）を介して情報処理装置と接続されている記録媒体を用いてもよい。この場合、情報処理装置は、ネットワークを介するダウンロードによりプログラムを取得する。すなわち、上記のプログラムを、ネットワーク（有線回線あるいは無線回線に接続されたもの）等の伝送媒体（流動的にプログラムを保持する媒体）を介して取得するようにしてもよい。なお、ダウンロードを行うためのプログラムは、装置内（あるいは送信側装置・受信側装置内）にあらかじめ記憶されていることが好ましい。
【０１５４】
また、本判定機構において制御基板３１ａとユニットとを接続する接続部材としては、複数の電線、もしくは配線が束ねられたケーブルの少なくとも一端が接続のためのケーブルが設けられたものであってもよい。また、接続部材は、接続のため端部の配線を露出させ、基板側に設けたコネクタに端部を直接挿入するフレキシブルプリント回路（ＦＰＣ）、フレキシブルフラットケーブル（ＦＦＣ）、メイン基板上のコネクタに装着されるサブ基板（例えばパソコンのマザーボードのコネクタに装着される増設メモリー基板）等を含む。また、接続部材は、ケーブルがなく、基板どうしを直接に付けるものも含む。
また、本判定機構は、本印刷装置とは別体の検査装置（テスタ）ではなく、本印刷装置に内蔵されていることが好ましい。
【０１５５】
また、本実施の形態では、抵抗群１１の各抵抗Ｒ１〜Ｒ８の値を、他の抵抗に対して２のべき乗とするとしている。しかしながら、これに限らず、抵抗群１１の抵抗Ｒ１〜Ｒ８の値を、他の抵抗に対して、２のべき乗（あるいは１０のべき乗，素数）となる比例関係となるように設計してもよい。
【０１５６】
また、本発明は、コネクタ挿入ミスを自己判定するものであるといえる。そして、本発明を、以下の第１〜１１自己判定回路として表現することもできる。すなわち、第１自己判定回路は、複数のコネクタのハーネス側で短絡状態である第１の接点と第２の接点とを有し、第１の接点に基準電圧もしくは基準電流が付与され、第２の接点に抵抗の一端を接続して、Ａ／Ｄコンバータに入力されること特徴とするものである。これにより、複数のコネクタの装着状態を簡単な回路で自己判定でき、また、１つの入力端子で複数のコネクタを判定できる。
【０１５７】
また、第２自己判定回路は、第１自己判定回路において、第１の端子、もしくは第２の端子がコネクタの端子配列の外側（端部）に配置されている構成である。これにより、端子配列の中央部に配置するのに対して、不良に傾いた挿入などを検知の精度が向上する。また、第３自己判定回路は、第１自己判定回路において、第１の端子が端部に、第２の端子がもう一つの端部に配置されている構成である。これにより、不良に傾いた挿入などをより精確に検知できる。
【０１５８】
また、第４自己判定回路は、第１自己判定回路において、複数の抵抗の端子が１つの接続点に接続されている構成である。また、第５自己判定回路は、第１自己判定回路において、抵抗群の抵抗値が２のべき乗で比例関係にある構成である。これにより、コネクタの特定が容易となる。また、第６自己判定回路は、第１自己判定回路において、抵抗群の抵抗値が１０のべき乗で分割された値で比例関係にある構成である。これにより、コネクタの特定が容易となる。また、第６自己判定回路は、第１自己判定回路において、抵抗群の抵抗値が素数で比例関係にある構成である。これにより、効果：コネクタの特定が容易となる
また、第７自己判定回路は、第１自己判定回路において、基準電圧が差動入力される構成である。これにより、差動入力することにより増幅率を大きくでき、変化を拡大できる。また、第８自己判定回路は、第１自己判定回路において、抵抗が直列接続されている構成である。これにより、コネクタの特定が容易となる。また、第９自己判定回路は、第１自己判定回路において、定電流限に接続されている構成である。これにより、コネクタの特定が容易となる。また、第１０自己判定回路は、第１自己判定回路において、第２の基板側で導通処理がなされている構成である。これにより、メイン基板側、第２の基板側の２個のコネクタを同時に判定できる。また、第１１自己判定回路は、第１自己判定回路において、前記第１の接点もしくは第２の接点は電源供給のための配線（Ｖｃｃ or GND）を兼ねている構成である。これにより、ＶｉとＶｃｃを兼用させることにより検出のための接点の増加は１で済む。また、第１画像形成装置（印刷装置）は、第１〜第１１自己判定回路のいずれかを備えた構成である。これにより、画像形成装置は多数のコネクタを用い、また、オプションの追加でもコネクタが増え、本発明が顕著に効果を発揮する。
【産業上の利用可能性】
【０１５９】
本発明は、プリンター（印刷装置）やその制御基板などの電子装置に対して接続部材によってユニットを接続する構成に関し、好適に使用可能なものである。
【図面の簡単な説明】
【０１６０】
【図１】本発明の一実施形態にかかる印刷装置の構成を示す説明図である。
【図２】図１に示した印刷装置の制御機構を示すブロック図である。
【図３】図３（ａ）〜（ｃ）は、コネクタ付きケーブルの接続状態を示す説明図である。
【図４】図１に示した印刷装置に備えられた、接続判定機構の構成を示す説明図である。
【図５】表１に示した接続不良のコネクタＣＮの番号（不良コネクタ番号）と、Ａ／Ｄ変換器の出力値（Ａ／Ｄ出力）との関係を示すグラフである。
【図６】表２に示した接続不良のコネクタＣＮの番号（不良コネクタ番号）と、Ａ／Ｄ変換器の出力値（Ａ／Ｄ出力（実線），Ａ／Ｄ出力２（破線））との関係を示すグラフである。
【図７】表３に示した接続不良のコネクタＣＮの番号（不良コネクタ番号）と、Ａ／Ｄ変換器の出力値（Ａ／Ｄ出力（実線），Ａ／Ｄ出力２（破線））との関係を示すグラフである。
【図８】差動増幅器を用いた接続判定機構の他の構成を示す説明図である。
【図９】定電流電源を用いた接続判定回路の構成を示す説明図である。
【図１０】抵抗を直列に接続した接続判定回路を示す説明図である。
【図１１】抵抗を直列に接続して定電流電源を用いた接続判定回路の構成を示す説明図である。
【図１２】接続判定機構によって、「コネクタ付きケーブルが制御基板とユニットとの双方に適切に接続されているか否か」を判定する場合における、コネクタ付きケーブルの構成を示す説明図である。
【図１３】ＦＰＣおよびＦＦＣの概略構成を示す説明図である。
【図１４】ＦＰＣおよびＦＦＣの概略構成を示す説明図である。
【符号の説明】
【０１６１】
１１        抵抗群
１２        第１反転増幅器
１３        第２反転増幅器
１４        Ａ／Ｄ変換器
１５        差動増幅器
１６        ボルテージフォロワ回路
２１        定電流電源
３１        制御部
３１ａ      制御基板（電子装置）
３２        操作部（ユニット）
１０２      プリンタ部（ユニット）
１０３      給紙ユニット部（ユニット）
１２０      給紙ユニット（オプション装置，ユニット）
１２６      排出トレイ
２０１      ベースフィルム
２０２      配線
２０３      カバーレイ
ＣＢ        コネクタ付きケーブル（接続部材）
ＣＮ        コネクタ（第１コネクタ）
ＣＮａ      コネクタ（第３コネクタ）
Ｉｏ        定電流
Ｐ１〜Ｐｎ  端子ピン
Ｐａ・Ｐｂ  判定ピン（判定端子）
Ｒ１〜Ｒ８  抵抗
Ｒａ１      合成抵抗
Ｒａ２      抵抗
Ｒｆ        負帰還抵抗
Ｓ          ピンコネクタ（第２コネクタ）
Ｓａ        ピンコネクタ（第４コネクタ）
ＳＣ        短絡回路
【図１】
2005243575.tif 000007
【図２】
2005243575.tif 000008
【図３】
2005243575.tif 000009
【図４】
2005243575.tif 000010
【図５】
2005243575.tif 000011
【図６】
2005243575.tif 000012
【図７】
2005243575.tif 000013
【図８】
2005243575.tif 000014
【図９】
2005243575.tif 000015
【図１０】
2005243575.tif 000016
【図１１】
2005243575.tif 000017
【図１２】
2005243575.tif 000018
【図１３】
2005243575.tif 000019
【図１４】
2005243575.tif 000020